(57)【要約】本発明は、ソース駆動回路及び液晶表示パネルを提供する。本発明ソース駆動回路において、ガンマ電圧出力モジュールが出力する参考電圧信号は、ガンマ基準電圧信号と電圧値がガンマ基準電圧信号より小さい低電圧信号とを含み、参考電圧信号は、現有のガンマ基準電圧信号の持続時間と等しい。既存の技術と比べ、本発明は、ソース駆動回路の電力消費を低減し、高解像度表示パネルの電力消費を低減することができる。【選択図】図1
2018533041.tif 000002
【特許請求の範囲】
【請求項１】
ソース駆動回路であって、前記ソース駆動回路は、
ラインバッファと、レベル変換器と、デジタル・アナログ変換器と、出力バッファと、ガンマ電圧出力モジュールとを備え、
前記ラインバッファは、入力されたビデオ信号を保存し、保存された前記ビデオ信号を前記レベル変換器に送信するために用いられ、
前記レベル変換器は、前記デジタル・アナログ変換器を作動させるように、前記ビデオ信号の電圧を増幅するために用いられ、
前記ガンマ電圧出力モジュールは、持続時間が等しい複数の参考電圧信号を前記デジタル・アナログ変換器に出力するために用いられ、前記参考電圧信号は、ガンマ基準電圧信号を含み、少なくとも一つの前記参考電圧信号は、低電圧信号をさらに含み、前記低電圧信号の電圧値は、前記ガンマ基準電圧信号の電圧値より小さく、前記参考電圧信号の持続時間は、現有のガンマ基準電圧信号の持続時間と等しく、各前記低電圧信号の持続時間は等しく、且つ前記低電圧信号の電圧値は０であり、
デジタル・アナログ変換器は、対応のアナログ電圧信号を得るように、前記参考電圧信号に対して、デジタル・アナログ変換を実行し、且つ、前記アナログ電圧信号を前記出力バッファに送信するために用いられ、
前記出力バッファは、階調電圧信号を得るように、前記アナログ電圧信号を増幅させ、且つ、対応する画素ユニットを駆動させるように、前記階調電圧信号を表示パネルに出力するために用いられる、ことを特徴とするソース駆動回路。
【請求項２】
前記低電圧信号の持続時間は、対応する画素ユニットの画面表示の持続時間に応じて決定される、ことを特徴とする請求項１に記載のソース駆動回路。
【請求項３】
作動ガンマ基準電圧信号と低電圧信号とを含む参考電圧信号には、前記ガンマ基準電圧信号の出力時間は、前記低電圧信号の出力時間より早い、ことを特徴とする請求項１に記載のソース駆動回路。
【請求項４】
作動ガンマ基準電圧信号と低電圧信号とを含む参考電圧信号において、前記ガンマ基準電圧信号の出力時間は、前記低電圧信号の出力時間より早い、ことを特徴とする請求項２に記載のソース駆動回路。
【請求項５】
全ての前記参考電圧信号は、共に前記低電圧信号をさらに含む、ことを特徴とする請求項１に記載のソース駆動回路。
【請求項６】
前記ガンマ電圧出力モジュールは、ガンマ電圧生成モジュールと出力制御モジュールとを含み、
前記ガンマ電圧生成モジュールは、参考電圧信号を生成するために用いられ、前記参考電圧信号は、ガンマ基準電圧信号と低電圧信号とを含み、前記低電圧信号の電圧値は０であり、
前記出力制御モジュールは、前記ガンマ電圧出力モジュールより持続時間が等しい複数の前記参考電圧信号を前記デジタル・アナログ変換モジュールに出力するように制御するために用いられる、ことを特徴とする請求項１に記載のソース駆動回路。
【請求項７】
ソース駆動回路であって、前記ソース駆動回路は、ラインバッファと、レベル変換器と、デジタル・アナログ変換器と、出力バッファと、ガンマ電圧出力モジュールとを備え、
前記ラインバッファは、入力されたビデオ信号を保存し、保存された前記ビデオ信号を前記レベル変換器に出力するために用いられ、
前記レベル変換器は、前記デジタル・アナログ変換器を作動させるように、前記ビデオ信号の電圧を増幅するために用いられ、
前記ガンマ電圧出力モジュールは、持続時間が等しい複数の参考電圧信号を前記デジタル・アナログ変換器に出力するために用いられ、前記参考電圧信号は、ガンマ基準電圧信号を含み、少なくとも一つの前記参考電圧信号は、低電圧信号をさらに含み、前記低電圧信号の電圧値は、前記ガンマ基準電圧信号の電圧値より小さく、前記参考電圧信号の持続時間は、現有のガンマ基準電圧信号の持続時間と等しく、
デジタル・アナログ変換器は、対応のアナログ電圧信号を得るように、前記参考電圧信号に対して、デジタル・アナログ変換を実行し、また、前記アナログ電圧信号を前記出力バッファに送信するために用いられ、
前記出力バッファは、階調電圧信号を得るように、前記アナログ電圧信号を増幅させ、且つ、対応する画素ユニットを駆動させるように、前記階調電圧信号を表示パネルに出力するために用いられる、ことを特徴とするソース駆動回路。
【請求項８】
前記低電圧信号の電圧値は０である、ことを特徴とする請求項７に記載のソース駆動回路。
【請求項９】
各前記低電圧信号の持続時間は等しい、ことを特徴とする請求項７に記載のソース駆動回路。
【請求項１０】
前記低電圧信号の持続時間は、対応する画素ユニットの画面表示の持続時間に応じて決定される、ことを特徴とする請求項７に記載のソース駆動回路。
【請求項１１】
作動ガンマ基準電圧信号と低電圧信号とを含む参考電圧信号において、前記ガンマ基準電圧信号の出力時間は、前記低電圧信号の出力時間より早い、ことを特徴とする請求項７に記載のソース駆動回路。
【請求項１２】
全ての前記参考電圧信号は、共に前記低電圧信号をさらに含む、ことを特徴とする請求項７に記載のソース駆動回路。
【請求項１３】
前記ガンマ電圧出力モジュールは、ガンマ電圧生成モジュールと出力制御モジュールとを含み、
前記ガンマ電圧生成モジュールは、参考電圧信号を生成するために用いられ、前記参考電圧信号は、ガンマ基準電圧信号と低電圧信号とを含み、前記低電圧信号の電圧値は０であり、
前記出力制御モジュールは、前記ガンマ電圧出力モジュールより持続時間が等しい複数の前記参考電圧信号を前記デジタル・アナログ変換モジュールに出力するように制御するために用いられる、ことを特徴とする請求項７に記載のソース駆動回路。
【請求項１４】
液晶表示パネルであって、前記液晶表示パネルは、アレイ基板と、ソース駆動回路と、デジタル・アナログ変換器とを備え、
アレイ基板は、複数の走査線と、複数のデータ線と、複数の画像ユニットとを有し、
前記走査線は、走査信号を送信するために用いられ、
前記データ線は、階調電圧信号を送信するために用いられ、
前記画素ユニットは、前記走査線と前記データ線とで交差して構成され、前記走査信号と階調電圧信号とに応じて画面を表示するために用いられ、
ソース駆動回路は、ラインバッファと、レベル変換モジュールと、デジタル・アナログ変換器と、出力バッファと、ガンマ電圧出力モジュールとを備え、
前記ラインバッファは、入力されたビデオ信号を保存し、保存された前記ビデオ信号を前記レベル変換器に出力するために用いられ；  
前記レベル変換器は、前記デジタル・アナログ変換器を作動させるように、前記ビデオ信号の電圧を増幅するために用いられ、
前記ガンマ電圧出力モジュールは、持続時間が等しい複数の参考電圧信号を前記デジタル・アナログ変換器に出力するために用いられ、前記参考電圧信号は、ガンマ基準電圧信号を含み、少なくとも一つの前記参考電圧信号は、低電圧信号をさらに含み、前記低電圧信号の電圧値は、前記ガンマ基準電圧信号の電圧値より小さく、前記参考電圧信号の持続時間は、現有のガンマ基準電圧信号の持続時間と等しく、
デジタル・アナログ変換器は、作動された後、応するアナログ電圧信号を得るように、前記ガンマ基準電圧信号に対してデジタル・アナログ変換を実行し、且つ、前記アナログ電圧信号を前記出力バッファに送信するために用いられ、
前記出力バッファは、階調電圧信号を得るように、前記アナログ電圧信号を増幅させ、且つ、対応する画素ユニットを駆動させるように、前記階調電圧信号を前記アレイ基板における対応する前記データ線に出力するために用いられる、ことを特徴とする液晶表示パネル。
【請求項１５】
前記参考電圧信号は、前記低電圧信号をさらに含む、ことを特徴とする請求項１４に記載の液晶表示パネル。
【請求項１６】
前記低電圧信号の電圧値は０である、ことを特徴とする請求項１４に記載の液晶表示パネル。
【請求項１７】
各前記低電圧信号の持続時間は等しい、ことを特徴とする請求項１４に記載の液晶表示パネル。
【請求項１８】
作動ガンマ基準電圧信号と低電圧信号とを含む参考電圧信号において、前記ガンマ基準電圧信号の出力時間は、前記低電圧信号の出力時間より早い、ことを特徴とする請求項１４に記載の液晶表示パネル。
【請求項１９】
前記低電圧信号の持続時間は、対応する画素ユニットの画面表示の持続時間に応じて決定される、ことを特徴とする請求項１４に記載の液晶表示パネル。
【請求項２０】
前記ガンマ電圧出力モジュールは、ガンマ電圧生成モジュールと出力制御モジュールとを含み、
前記ガンマ電圧生成モジュールは、参考電圧信号を生成するために用いられ、前記参考電圧信号は、ガンマ基準電圧信号と低電圧信号とを含み、前記低電圧信号の電圧値は０であり、
前記出力制御モジュールは、前記ガンマ電圧出力モジュールより持続時間が等しい複数の前記参考電圧信号を前記デジタル・アナログ変換モジュールに出力するように制御するために用いられる、ことを特徴とする請求項１４に記載の液晶表示パネル。
【発明の詳細な説明】
【技術分野】
【０００１】
本発明は、液晶ディスプレイの技術分野に関し、特にソース駆動回路及び液晶表示パネルに関する。
【背景技術】
【０００２】
従来、携帯電話の表示パネルなどの中小サイズパネルでの解像度の増加に伴い、従来技術を用いて高解像度のパネルを充電すると、パネルでのピクセル（Ｐｉｘｅｌ、画素ユニット）の充電が不十分な現象が発生することがある。
【０００３】
このような高解像度表示パネルにおける画素ユニットの充電不十分の現象に対して、多くの現有技術は提案されているが、これらの提案では、高解像度パネルの電力消費が著しく増加するという共通の問題点を有する。携帯電話などの電子製品では、電池の待機時間は大きな欠点であり、電力消費の増加は電子製品の待機時間をさらに短縮する問題がある。
【０００４】
例えば、パネル分解能が高まるにつれて、パネルでの画素ユニットの充電不十分の問題を解決するために、以下の解決策を提案している。高解像度表示パネルにおける一つのゲート信号を用いて、同時に２つのゲート線のオン／オフ状態を制御させ、２つのソース線から送信された階調電圧信号を用いて、２つのゲート線でのピクセルをそれぞれ充電する。ここで、階調電圧信号は、ソース駆動回路がガンマ生成部に対して出力する持続時間と等しいガンマ基準電圧信号（例えＶｒ１〜Ｖｒ５及びＶｒ６〜Ｖｒ１５）を処理して得るものである。
【０００５】
上述した解決策から、充電不十分の問題は解決できるが、ソース駆動回路の電力消費が増加したため、高解像度表示パネルの電力消費が増加してしまう。
【０００６】
従来の技術的な問題点を解決するために、ソース駆動回路及び液晶表示パネルを提供する必要がある。
【発明の概要】
【０００７】
本発明の目的は、高解像度表示パネルの高い電力消費の問題を解決するためのソース駆動回路を提供することである。
【０００８】
上記の技術的な課題を解決するために、本発明は、以下の解決策を提供する。
本発明の一つの実施形態は、ソース駆動回路を提供し、前記ソース駆動回路は、ラインバッファと、レベル変換器と、デジタル・アナログ変換器と、出力バッファと、ガンマ電圧出力モジュールとを備え、
前記ラインバッファは、入力されたビデオ信号を保存し、保存された前記ビデオ信号を前記レベル変換器に送信するために用いられ、
前記レベル変換器は、前記デジタル・アナログ変換器を作動させるように、前記ビデオ信号の電圧を増幅するために用いられ、
前記ガンマ電圧出力モジュールは、持続時間が等しい複数の参考電圧信号を前記デジタル・アナログ変換器に出力するために用いられ、前記参考電圧信号は、ガンマ基準電圧信号を含み、少なくとも一つの前記参考電圧信号は、低電圧信号をさらに含み、前記低電圧信号の電圧値は、前記ガンマ基準電圧信号の電圧値より小さく、前記参考電圧信号の持続時間は、現有のガンマ基準電圧信号の持続時間と等しく、各前記低電圧信号の持続時間は等しく、且つ前記低電圧信号の電圧値は０であり、
デジタル・アナログ変換器は、作動された後、対応するアナログ電圧信号を得るように、前記参考電圧信号に対してデジタル・アナログ変換を実行し、且つ前記アナログ電圧信号を前記出力バッファに送信するために用いられ、
前記出力バッファは、階調電圧信号を得るように、前記アナログ電圧信号を増幅させ、且つ前記階調電圧信号を表示パネルに出力して、対応する画素ユニットを駆動させるために用いられる。
【０００９】
本発明のソース駆動回路において、前記低電圧信号の持続時間は、対応する画素ユニットの画面表示の持続時間に応じて決定される。
【００１０】
本発明のソース駆動回路において、ガンマ基準電圧信号と低電圧信号とを含む参考電圧信号には、前記ガンマ基準電圧信号の出力時間は、前記低電圧信号の出力時間より早い。
【００１１】
本発明のソース駆動回路において、前記低電圧信号の持続時間は、対応する画素ユニットの画面表示の持続時間に応じて決定され、また、ガンマ基準電圧信号と低電圧信号とを含む参考電圧信号において、前記ガンマ基準電圧信号の出力時間は、前記低電圧信号の出力時間より早い。
【００１２】
本発明のソース駆動回路において、すべでの前記参考電圧信号は、共に前記低電圧信号をさらに含む。
【００１３】
本発明のソース駆動回路において、前記ガンマ電圧出力モジュールは、ガンマ電圧生成モジュールと出力制御モジュールとを含み、
前記ガンマ電圧生成モジュールは、参考電圧信号を生成するために用いられ、前記参考電圧信号は、ガンマ基準電圧信号と低電圧信号とを含み、前記低電圧信号の電圧値は０であり、
前記出力制御モジュールは、前記ガンマ電圧出力モジュールより持続時間が等しい複数の前記参考電圧信号を前記デジタル・アナログ変換モジュールに出力するように制御するために用いられる。
【００１４】
本発明の一つの実施形態は、もう一つのソース駆動回路を提供し、前記ソース駆動回路は、ラインバッファと、レベル変換器と、デジタル・アナログ変換器と、出力バッファと、ガンマ電圧出力モジュールとを備え、
前記ラインバッファは、入力されたビデオ信号を保存し、保存された前記ビデオ信号を前記レベル変換器に送信するために用いられ、
前記レベル変換器は、前記デジタル・アナログ変換器を作動させるように、前記ビデオ信号の電圧を増幅するために用いられ、
前記ガンマ電圧出力モジュールは、持続時間が等しい複数の参考電圧信号を前記デジタル・アナログ変換器に出力するために用いられ、前記参考電圧信号は、ガンマ基準電圧信号を含み、少なくとも一つの前記参考電圧信号は、低電圧信号をさらに含み、前記低電圧信号の電圧値は、前記ガンマ基準電圧信号の電圧値より小さく、前記参考電圧信号の持続時間は、現有のガンマ基準電圧信号の持続時間と等しく、
デジタル・アナログ変換器は、作動された後、対応するアナログ電圧信号を得るように、前記参考電圧信号に対して、デジタル・アナログ変換を実行し、且つ前記アナログ電圧信号を前記出力バッファに送信するために用いられ、
前記出力バッファは、階調電圧信号を得るように、前記アナログ電圧信号を増幅させ、且つ前記階調電圧信号を表示パネルに出力して、対応する画素ユニットを駆動させるために用いられる。
【００１５】
本発明のソース駆動回路において、前記低電圧信号の電圧値は０である。
本発明のソース駆動回路において、各前記低電圧信号の持続時間は等しい。
本発明のソース駆動回路において、前記低電圧信号の持続時間は、対応する画素ユニットの画面表示の持続時間に応じて決定される。
【００１６】
本発明のソース駆動回路において、ガンマ基準電圧信号と低電圧信号とを含む参考電圧信号において、前記ガンマ基準電圧信号の出力時間は、前記低電圧信号の出力時間より早い。本発明のソース駆動回路において、前記参考電圧信号は、前記低電圧信号をさらに含む。
【００１７】
本発明のソース駆動回路において、前記ガンマ電圧出力モジュールは、ガンマ電圧生成モジュールと出力制御モジュールとを含み、
前記ガンマ電圧生成モジュールは、参考電圧信号を生成するために用いられ、前記参考電圧信号は、ガンマ基準電圧信号と低電圧信号とを含み、前記低電圧信号の電圧値は０であり、
前記出力制御モジュールは、前記ガンマ電圧出力モジュールより持続時間が等しい複数の前記参考電圧信号を前記デジタル・アナログ変換モジュールに出力するように制御するために用いられる。
【００１８】
本発明の一つの実施形態は、液晶表示パネルを提供し、前記液晶表示パネルは、アレイ基板と、ソース駆動回路、デジタル・アナログ変換器とを備え、
アレイ基板は、複数の走査線と、複数のデータ線と、複数の画像ユニットとを有し、
前記走査線は、走査信号を送信するために用いられ、
前記データ線は、階調電圧信号を送信するために用いられ、
前記画素ユニットは、前記走査線と前記データ線とで交差して構成され、前記走査信号と階調電圧信号とに応じて画面を表示するために用いられ、
ソース駆動回路は、ラインバッファと、レベル変換モジュールと、デジタル・アナログ変換器と、出力バッファと、ガンマ電圧出力モジュールとを備え、
前記ラインバッファは、入力されたビデオ信号を保存し、保存された前記ビデオ信号を前記レベル変換器に出力するために用いられ、
前記レベル変換器は、前記ビデオ信号の電圧を増幅して、前記デジタル・アナログ変換器を作動させるために用いられ、
前記ガンマ電圧出力モジュールは、持続時間が等しい複数の参考電圧信号を前記デジタル・アナログ変換器に出力するために用いられ、前記参考電圧信号は、ガンマ基準電圧信号を含み、少なくとも一つの前記参考電圧信号は、低電圧信号をさらに含み、前記低電圧信号の電圧値は、前記ガンマ基準電圧信号の電圧値より小さく、前記参考電圧信号の持続時間は、現有のガンマ基準電圧信号の持続時間と等しいであり、
デジタル・アナログ変換器は、作動された後、前記ガンマ基準電圧信号に対してデジタル・アナログ変換を実行して、対応するアナログ電圧信号を得る、又は前記アナログ電圧信号を前記出力バッファに送信するために用いられ、
前記出力バッファは、前記アナログ電圧信号を増幅させ、階調電圧信号を得られ、且つ前記階調電圧信号を前記アレイ基板における対応する前記データ線に出力し、対応する画素ユニットを駆動させるために用いられる。
本発明の液晶表示パネルにおいて、前記参考電圧信号は、前記低電圧信号をさらに含む。
【００１９】
本発明の液晶表示パネルにおいて、前記低電圧信号の電圧値は０である。
本発明の液晶表示パネルにおいて、各前記低電圧信号の持続時間は等しい。
本発明の液晶表示パネルにおいて、作動ガンマ基準電圧信号と低電圧信号とを含む参考電圧信号において、前記ガンマ基準電圧信号の出力時間は、前記低電圧信号の出力時間より早い。
【００２０】
本発明の液晶表示パネルにおいて、前記低電圧信号の持続時間は、対応する画素ユニットの画面表示の持続時間に応じて決定される。
【００２１】
本発明の液晶表示パネルにおいて、前記ガンマ電圧出力モジュールは、ガンマ電圧生成モジュールと出力制御モジュールとを含み、
前記ガンマ電圧生成モジュールは、参考電圧信号を生成するために用いられ、前記参考電圧信号は、ガンマ基準電圧信号と低電圧信号とを含み、前記低電圧信号の電圧値は０であり、
前記出力制御モジュールは、前記ガンマ電圧出力モジュールより持続時間が等しい複数の前記参考電圧信号を前記デジタル・アナログ変換モジュールに出力するように制御するために用いられる。
【００２２】
本発明は、ソース駆動回路及び液晶表示パネルを提供する。本発明のソース駆動回路のガンマ電圧出力モジュールは、複数の持続時間が等しい複数の参考電圧信号を前記デジタル・アナログ変換器に出力するために用いられ、前記参考電圧信号は、ガンマ基準電圧信号を含み、少なくとも一つの前記参考電圧信号は、低電圧信号をさらに含み、前記低電圧信号の電圧値は、前記ガンマ基準電圧信号の電圧値より小さく、且つ前記参考電圧信号の持続時間は、現有のガンマ基準電圧信号の持続時間と等しい。既存の技術と比べ、本発明のガンマ電圧出力モジュールは、現有のガンマ基準電圧信号の持続時間内、ガンマ基準電圧信号を出力することに加えて、低電圧信号を出力する。これは、現有のガンマ基準電圧信号持続時間内、一部のガンマ基準電圧信号を引き下げることに相当し、ソース駆動回路の電力消費を低減させ、高解像度表示パネルの電力消費を低減することができる。
【図面の簡単な説明】
【００２３】
【図１】図１は本発明実施例が提供するソース駆動回路の構成を示す図である。
【図２】図２は本発明実施例が提供するガンマ基準電圧のシーケンス図である。
【図３】図３は本発明実施例が提供するもう一つのソース駆動回路の構成を示す図である。
【発明を実施するための形態】
【００２４】
以下、添付の図面を参照しながら、本発明を実施するための特定の実施形態を説明する。本願明細書で言及されている方向を示す用語、例えば、「上」、「下」、「前」、「後」、「左」、「右」、「内側」、「外側」、「側面」などは、添付の図に方向を示す用語である。したがって、本願発明を理解するために用いられ、本願発明はこれに限定されるものではない。図面においては、構造的に類似な構成は、同じ符号で示されている。
【００２５】
実施例１
高解像度表示パネルの電力消費を低減するために、本実施例は、ソース駆動回路を提供し、図１に示すように、ラインバッファ１０１と、レベル変換器１０２と、デジタル・アナログ変換器１０３と、ガンマ電圧出力モジュール１０４と、出力バッファ１０５とを含み、
前記ラインバッファ１０１は、入力されたビデオ信号を保存し、保存された前記ビデオ信号を前記レベル変換器に送信するために用いられ、
前記レベル変換器１０２は、前記ビデオ信号の電圧を増幅して、前記デジタル・アナログ変換器１０３を作動させるために用いられ、
前記ガンマ電圧出力モジュール１０４は、複数の持続時間が等しい複数の参考電圧信号を前記デジタル・アナログ変換器１０３に出力するために用いられ、前記参考電圧信号は、ガンマ基準電圧信号を含み、少なくとも一つの前記参考電圧信号は、低電圧信号をさらに含み、前記低電圧信号の電圧値は、前記ガンマ基準電圧信号の電圧値より小さく、前記参考電圧信号の持続時間は、現有のガンマ基準電圧信号の持続時間と等しく、
デジタル・アナログ変換器１０３は、作動された後、対応するアナログ電圧信号を得るように、前記参考電圧信号に対してデジタル・アナログ変換を実行しし、また、前記アナログ電圧信号を前記出力バッファに送信するために用いられ、
前記出力バッファ１０５、階調電圧信号を得るように、前記アナログ電圧信号を増幅させ、また、前記階調電圧信号を表示パネルに出力し、対応する画素ユニットを作動させるために用いられる。
【００２６】
本実施例のソース駆動回路のガンマ電圧出力モジュール１０３は、現有のガンマ基準電圧信号の持続時間内、ガンマ基準電圧信号を出力することに加えて、低電圧信号を出力する。これは、現有のガンマ基準電圧信号の持続時間内、一部のガンマ基準電圧信号を引き下げることに相当し、ソース駆動回路の電力消費を低減させ、高解像度パネルの電力消費を低減し、使用の利便性を向上させることができる。
【００２７】
ソース駆動回路の電力消費をさらに低減するために、本実施例の前記参考電圧信号は、前記低電圧信号をさらに含む。換言すれば、各現有のガンマ基準電圧信号の一部が引き下げられることができる。
【００２８】
図２に示すように、５つの参考電圧をそれぞれＶ１−Ｖ５に設定して出力することを例として、本実施例のガンマ電圧出力モジュール１０４が出力する電圧信号ＶＡについて説明する。現有のガンマ電圧信号の持続時間をｔ１＋ｔ２とし、現有のガンマ生成部が出力する電圧信号ＶＢは、５つの現有のガンマ基準電圧信号を含み、それぞれＶｒ１−  Ｖｒ５とし、
本実施例における低電圧信号はＶｄであり、本実施例におけるガンマ基準電圧信号はＶｒ１'−Ｖｒ５'であり、図２に示されている各参考電圧信号は、ガンマ基準電圧信号と低電圧信号Ｖｄとを含み、具体的には、Ｖ１は、Ｖｒ１'とＶｄとを含み、且つＶｄ＜Ｖｒ１'であり、Ｖ２は、Ｖｒ２'とＶｄとを含み、且つＶｄ＜Ｖｒ２'であり......Ｖ５は、Ｖｒ５'とＶｄとを含み、且つＶｄ＜Ｖｒ５'である。また、図２に示されている本実施例参考電圧信号のガンマ基準電圧信号の持続時間はｔ１であり、低電圧信号Ｖｄの持続時間はｔ２であり、具体的には、Ｖｇ１'−  Ｖｒ５'であり、持続時間はｔ１である。
【００２９】
図２より分かるように、本実施例ガンマ電圧出力モジュール１０４が出力する電圧信号ＶＡと現有のガンマ生成部が出力する電圧信号ＶＢとを比べると、本実施例は、ｔ１＋ｔ２期間内、ガンマ基準電圧信号（例えば、Ｖｒ１'又はＶｒ２'又はＶｒ５'）と低電圧信号Ｖｄとを出力し、具体的には、ｔ１時間においてガンマ基準電圧信号を出力し、ｔ２時間において低電圧信号Ｖｄを出力することである。
一方、現有の技術では、ｔ１＋ｔ２時間内、ガンマ基準電圧信号（例えば、Ｖｒ１、Ｖｒ２又はＶｒ５）を出力するだけである。したがって、本実施例は、ｔ２時間において、電圧信号の出力を低減させることによって、ソース駆動回路電力消費を低減することができる。
好ましくは、ソース駆動回路電力消費をさらに低減するために、本実施例の低電圧信号の電圧値は０でも良い。この時、本実施例ガンマ電圧出力モジュール１０４が、ｔ２時間に電圧信号を出力し、ｔ２時間で出力される電圧信号が生じる電力消費を低減する。
【００３０】
好ましくは、電圧信号を容易に出力するために、本実施例の各前記低電圧信号の持続時間は互いに等しい。この時、低電圧信号を含む参考電圧信号でのガンマ基準電圧信号の持続時間も等しい。これにより、ガンマ電圧出力モジュール１０４は、一定の時間間隔で低電圧信号を出力することができる。
【００３１】
各行の画素ユニットの充電時間は異なることがあり、即ち画面表示の持続時間が異なることがある。この観点から、持続時間が等しいガンマ基準電圧信号を用いて、各行の画素ユニットを充電すると、一部のガンマ基準電圧信号は余計であり、電力消費（例えば、ある行の画素ユニットを２ｓ充電する必要があるが、実際には３ｓのガンマ基準電圧信号を入力する）の無駄使いになる。また、画素ユニットの充電時間が十分ではなく、画質の劣化（例えば、ある行の画素ユニットを３ｓ充電する必要に対して、実際には２ｓしかガンマ基準電圧信号を入力しない）を招くことがある。
上記の問題点を解決するために、本実施例ソース駆動回路のガンマ電圧出力モジュール１０４は、対応する画素ユニットの画面表示の持続時間に応じて、低電圧信号の持続時間を決定し、その時間に対応するガンマ基準電圧信号を出力して、画素ユニットの実際の充電要求を満たせる。このため、本実施例における少なくとも２つの低電圧信号の持続時間は、異なることがある。
【００３２】
好ましくは、表示パネルの初期駆動段階での画面表示速度を増加させ、初期駆動段階での画面表示遅延を減少させるために、本実施例において、ガンマ基準電圧信号と低電圧信号とを含む参考電圧信号には、前記ガンマ基準電圧信号の出力時間は、前記低電圧信号の出力時間より早い。図２に示すように、Ｖｒ１'の出力時間は、Ｖｄの出力時間より早く、Ｖｒ２'の出力時間は、Ｖｄの出力時間より早い。
【００３３】
ガンマ基準電圧信号の出力時間は低電圧信号よりも早いので、画素ユニットが、先に対応する階調電圧信号を受信し、画素ユニットを駆動して画面を表示する。
ガンマ基準電圧信号出力時間が低電圧信号より遅い場合、画素ユニットが、先に低電圧信号を受信し、低電圧信号が画素ユニットを駆動できず、画面を表示することができない。この時、一定時間を待機し、対応する階調電圧信号を受信した後、画素ユニットが、画面を表示するように駆動される。以下、本実施例におけるガンマ電圧出力モジュール１０４の具体的な構造を説明する。図３に示すように、ガンマ電圧出力モジュール１０４は、ガンマ電圧生成モジュール１０４１と出力制御モジュール１０４２とを含み、
前記ガンマ電圧生成モジュール１０４１は、参考電圧信号を生成するために用いられ、前記参考電圧信号は、ガンマ基準電圧信号と低電圧信号とを含み、前記低電圧信号の電圧値は、０であり、
前記出力制御モジュール１０４２は、前記ガンマ電圧出力モジュールが等しい持続時間である複数の前記参考電圧信号を前記デジタル・アナログ変換モジュールに入力することを制御するために用いられる。
【００３４】
本実施例におけるガンマ電圧生成モジュール１０４１は、２つの電圧信号を生成するために用いられ、一つはガンマ基準電圧信号であり、もう一つは低電圧信号である。出力制御モジュール１０４２は、第１予め設定される時間内にガンマ基準電圧信号を出力し、画素ユニットを充電するように制御し、又は第２予め設定される時間内に低電圧信号を出力し、図２に示す電圧信号を生成するように制御するために用いられる。
【００３５】
本実施例が提出するソース駆動回路は、現有の技術と比較して、パネルの電力消費を低減することができ、パネルを有する電子製品の電力消費を低減することができる。これによって、電子製品の待機時間を長くすることができ、使用者の利便性を向上させることができる。さらに、本実施例のソース駆動回路は、容易な実装、広い応用領域、低い製造コストなどの優れる点を有する。
【００３６】
実施例２：
本実施例は、液晶表示パネルを提供し、前記液晶表示パネルは、アレイ基板と、ソース駆動回路と、デジタル・アナログ変換器とを備え、
アレイ基板は、複数の走査線と、複数のデータ線と、複数の画像ユニットとを有し、
前記走査線は、走査信号を送信するために用いられ、
前記データ線は、階調電圧信号を送信するために用いられ、
前記画素ユニットは、前記走査線と前記データ線とで交差して構成され、前記走査信号と階調電圧信号とに応じて画面を表示するために用いられ、
ソース駆動回路は、ラインバッファと、レベル変換モジュールと、デジタル・アナログ変換器と、出力バッファと、ガンマ電圧出力モジュールとを含み、
前記ラインバッファは、入力されたビデオ信号を保存し、保存された前記ビデオ信号を前記レベル変換器に出力するために用いられ、
前記レベル変換器は、前記デジタル・アナログ変換器を作動させるように、前記ビデオ信号の電圧を増幅するために用いられ、
前記ガンマ電圧出力モジュールは、持続時間が等しい複数の参考電圧信号を前記デジタル・アナログ変換器に出力するために用いられ、前記参考電圧信号は、ガンマ基準電圧信号を含み、少なくとも一つの前記参考電圧信号は、低電圧信号をさらに含み、前記低電圧信号の電圧値は、前記ガンマ基準電圧信号の電圧値より小さく、前記参考電圧信号の持続時間は、現有のガンマ基準電圧信号の持続時間と等しいであり、
デジタル・アナログ変換器は、作動された後、対応するアナログ電圧信号を得るように、前記ガンマ基準電圧信号に対してデジタル・アナログ変換を実行し、また、前記アナログ電圧信号を前記出力バッファに送信するために用いられ、
前記出力バッファは、階調電圧信号を得るように、前記アナログ電圧信号を増幅させ、また、前記階調電圧信号を前記アレイ基板における対応する前記データ線に出力し、対応する画素ユニットを駆動させるために用いられる。
【００３７】
本実施例におけるソース駆動回路の具体的な構成は、実施例１の図１に示される構造を参照すれば分かる。
【００３８】
本実施例の液晶表示パネルは、ソース駆動回路が、現有のガンマ基準電圧信号の持続時間内、ガンマ基準電圧信号を出力することに加えて、低電圧信号を出力するする。これは、現有のガンマ基準電圧信号の持続時間内、ガンマ基準電圧信号の一部を引き下げることに相当し、ソース駆動回路の電力消費を低減させ、表示パネルの電力消費を低減することができる。好ましくは、電力消費をさらに低減するために、前記参考電圧信号は、前記低電圧信号をさらに含む。
【００３９】
好ましくは、電力消費をさらに低減するために、前記低電圧信号の電圧値は０である。
【００４０】
以上、本発明の好ましい実施形態について説明したが、本発明は上記実施形態に限定されるものではなく、本発明の趣旨を逸脱しない範囲で種々の変更が可能である。  このように、本発明の保護の範囲は、特許請求の範囲によって定義される。
【図１】
2018533041.tif 000003
【図２】
2018533041.tif 000004
【図３】
2018533041.tif 000005
【国際調査報告】
2018533041.tif 000006
2018533041.tif 000007
2018533041.tif 000008
2018533041.tif 000009
2018533041.tif 000010